Podtech/llm-jp-corpus-v4-ja_patent huggingface dataset:
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
組織試料内の核酸を空間的に検出する方法であって、
（ａ）前記試料内の少なくとも１つの関心領域（ＲＯＩ）を同定するステップと、
（ｂ）少なくとも１つの種のオリゴヌクレオチドプローブを、前記ＲＯＩ内の既定の位置の上に加え、さらに、前記オリゴヌクレオチドプローブが前記試料の前記核酸に結合するのを可能にするステップであり、それぞれの種の前記オリゴヌクレオチドプローブは独特なバーコード配列を含む、ステップと、
（ｃ）核酸−オリゴヌクレオチドプローブの複合体を抽出するステップと、
（ｄ）抽出された前記核酸の分子を配列決定するステップと、
（ｅ）前記オリゴヌクレオチドプローブの１つ又は複数の前記バーコード配列を包含する配列決定された前記核酸の分子を、前記１つ又は複数のバーコード配列に基づき、前記ＲＯＩ内の対応する標的核酸分子の最初の位置に関連づけて、前記標的核酸分子の空間分布を生成するステップであり、各位置が、ステップ（ｂ）において結合する１つ又は複数の種のオリゴヌクレオチドプローブによって同定される、ステップと、
を含む方法。
【請求項２】
ステップ（ｄ）に先立ち、ＤＮＡ分子が、ＤＮＡ増幅を介して前記核酸−オリゴヌクレオチドプローブの複合体から生成される、請求項１に記載の方法。
【請求項３】
前記ＤＮＡ分子の生成は、逆転写反応の後で生じる、請求項２に記載の方法。
【請求項４】
ステップ（ｂ）において、前記試料の核酸に対する前記オリゴヌクレオチドプローブの結合は、ハイブリダイゼーションを介して生じ、さらに、前記オリゴヌクレオチドプローブは、プライマーとして使用される、請求項２又は３に記載の方法。
【請求項５】
ステップ（ｂ）において、前記試料の核酸に対する前記オリゴヌクレオチドプローブの結合は、ライゲーションを介して生じる、請求項１乃至３のいずれか一項に記載の方法。
【請求項６】
ステップ（ｅ）は、前記標的核酸分子の空間分布を、ステップ（ｂ）の前又は後に得られた前記ＲＯＩの画像又は前記ＲＯＩが同定された前記組織試料の画像に関連づけるステップをさらに含む、請求項１乃至５のいずれか一項に記載の方法。
【請求項７】
二次元の空間マップを提供して前記標的核酸分子の空間分布を可視化するステップをさらに含む、請求項６に記載の方法。
【請求項８】
前記二次元の空間マップを、ステップ（ｂ）の前又は後に得られた前記ＲＯＩの画像又は前記ＲＯＩが同定された前記組織試料の画像でオーバーレイするステップをさらに含む、請求項７に記載の方法。
【請求項９】
ステップ（ｂ）において、少なくとも２つの異なる種のオリゴヌクレオチドプローブが１つの標的核酸分子に結合され、さらに、前記少なくとも２つの異なる種のオリゴヌクレオチドプローブの独特な組み合わせが、前記ＲＯＩ内の前記標的核酸分子の位置を同定するために使用される、請求項１乃至８のいずれか一項に記載の方法。
【請求項１０】
１つの核酸分子に結合する前記オリゴヌクレオチドプローブの種のうち少なくとも１つが一般配列を含み、任意選択で、前記一般配列は前記標的核酸に相補的である、請求項１乃至９のいずれか一項に記載の方法。
【請求項１１】
１つの核酸分子に結合する前記オリゴヌクレオチドプローブの種のうち少なくとも１つが追加的配列を含み、前記追加的配列は、精製配列又はプライマーアライメント配列である、請求項１乃至１０のいずれか一項に記載の方法。
【請求項１２】
前記既定の位置は、セパレーションマスクによって画定される、請求項１乃至１１のいずれか一項に記載の方法。
【請求項１３】
前記セパレーションマスクは、任意選択で前記試料の上に印刷されるトップセパレーションマスクであるか、又は、フルセパレーションマスクであり、前記セパレーションマスクは、格子のセパレーションマスク、自由形状のセパレーションマスク又はその組み合わせである、請求項１２に記載の方法。
【請求項１４】
ステップ（ｂ）において、加えられる前記オリゴヌクレオチドプローブが異なる既定の位置間で混合しないように、前記オリゴヌクレオチドプローブは、液体移送技術によって、好ましくは、コンタクトプリント技術又はノンコンタクトプリント技術によって、前記既定の位置の上に加えられる、請求項１乃至１３のいずれか一項に記載の方法。
【請求項１５】
前記試料は、病理組織学的検体、好ましくは、脱パラフィンされたホルマリン固定パラフィン包埋（ＦＦＰＥ）試料、新鮮凍結（ＦＦ）試料若しくは新鮮試料、又は、細胞学的試料である、請求項１乃至１４のいずれか一項に記載の方法。
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
ドライバ回路であって、
差動入力信号を受信し、前記差動入力信号を増幅するように構成される入力駆動段と、
前記入力駆動段に結合される出力駆動段であって、増幅された差動入力信号を前記入力駆動段から受信し、前記増幅された差動入力信号を増幅するように構成される、前記出力駆動段と、
前記出力駆動段から前記入力駆動段に電流を搬送するように構成される変圧器と、
を含む、ドライバ回路。
【請求項２】
請求項１に記載のドライバ回路であって、
前記入力駆動段が電流モード増幅器を含み、前記出力駆動段が電圧モード増幅器を含む、ドライバ回路。
【請求項３】
請求項１に記載のドライバ回路であって、
前記入力駆動段が、差動対として配されるトランジスタを含む、ドライバ回路。
【請求項４】
請求項３に記載のドライバ回路であって、
前記出力駆動段が、エミッタフォロワとして前記差動対に結合されるトランジスタを含む、ドライバ回路。
【請求項５】
請求項４に記載のドライバ回路であって、
前記変圧器の第１のコイルが、前記差動対の前記トランジスタの各々のコレクタ端子に電気的に結合され、前記変圧器の第２のコイルが、前記エミッタフォロワの各々のコレクタ端子に電気的に結合される、ドライバ回路。
【請求項６】
請求項５に記載のドライバ回路であって、
前記エミッタフォロワの活性化が、前記出力駆動段から前記入力駆動段への電流の搬送を開始する、ドライバ回路。
【請求項７】
請求項４に記載のドライバ回路であって、
前記出力駆動段が、
差動出力端子であって、前記差動出力端子の１つが、前記エミッタフォロワの各々のエミッタ端子に接続される、前記差動出力端子と、
電界効果トランジスタ（ＦＥＴ）であって、前記ＦＥＴの各々のドレイン端子が、抵抗器を介して前記出力端子の各々に結合される、前記ＦＥＴと、
を更に含む、ドライバ回路。
【請求項８】
請求項１に記載のドライバ回路であって、
前記変圧器の第１のコイルが、前記入力駆動段に電気的に結合され、前記変圧器の第２のコイルが、前記出力駆動段に電気的に結合され、前記第１及び第２のコイルの各々のセンタータップに電源が接続される、ドライバ回路。
【請求項９】
請求項１に記載のドライバ回路であって、
前記出力駆動段から前記入力駆動段に搬送される前記電流が、前記入力駆動段における電流と前記出力駆動段の利得と前記変圧器の巻線比との関数である、ドライバ回路。
【請求項１０】
ドライバ回路であって、
差動入力信号を受信するように差動増幅器として接続されるトランジスタと、
エミッタフォロワとして前記差動増幅器に接続されるトランジスタと、
前記エミッタフォロワのコレクタ端子から前記差動増幅器に電流を搬送するように構成される変圧器と、
を含み、
前記変圧器の第１のコイルが、前記エミッタフォロワの各エミッタフォロワのコレクタ端子に接続され、前記変圧器の第２のコイルが、前記差動増幅器の前記トランジスタの各トランジスタのコレクタ端子に結合される、ドライバ回路。
【請求項１１】
請求項１０に記載のドライバ回路であって、
前記エミッタフォロワの各エミッタフォロワのベース端子が、前記差動増幅器の前記トランジスタの各トランジスタのコレクタ端子に接続される、ドライバ回路。
【請求項１２】
請求項１０に記載のドライバ回路であって、
前記差動増幅器の前記コレクタ端子における信号による前記エミッタフォロワの活性化が、前記変圧器の第２のコイルにおいて電流フローを誘導する、ドライバ回路。
【請求項１３】
請求項１２に記載のドライバ回路であって、
前記変圧器の前記第２のコイルにおいて誘導される電流フローが、前記エミッタフォロワにおける電流と前記変圧器の巻線比との関数である、ドライバ回路。
【請求項１４】
請求項１０に記載のドライバ回路であって、
前記変圧器の前記第１のコイルと第２のコイルとの各々がセンタータップを含み、各センタータップに電源が接続される、ドライバ回路。
【請求項１５】
請求項１０に記載のドライバ回路であって、
差動出力端子であって、前記差動出力端子の各々が前記エミッタフォロワの１つのエミッタフォロワのエミッタ端子に接続される、前記差動出力端子と、
抵抗器であって、前記抵抗器の各抵抗器の第１の端子が前記差動出力端子の１つに接続される、前記抵抗器と、
出力トランジスタであって、前記出力トランジスタの各出力トランジスタの端子が前記抵抗器の１つの抵抗器の第２の端子に接続される、前記出力トランジスタと、
を更に含む、ドライバ回路。
【請求項１６】
請求項１５に記載のドライバ回路であって、
前記出力トランジスタの各出力トランジスタの制御端子が、前記差動出力端子の１つに接続される、ドライバ回路。
【請求項１７】
ドライバ回路であって、
差動増幅器として接続されるトランジスタを含む差動プリドライバと、
ドライバであって、
エミッタフォロワとして前記差動プリドライバに接続されるトランジスタであって、前記エミッタフォロワの各エミッタフォロワ上のベース端子が、前記差動増幅器の前記トランジスタの各トランジスタのコレクタ端子に接続される、前記トランジスタと、
前記エミッタフォロワのエミッタ端子に接続されるドライバ回路出力端子と、
を含む、前記ドライバと、
前記ドライバから前記プリドライバに正のフィードバック電流を提供するために前記差動プリドライバと前記ドライバとに接続される変圧器と、
を含み、
前記変圧器の第１のコイルが、前記エミッタフォロワの各エミッタフォロワのコレクタ端子に接続され、前記変圧器の第２のコイルが、前記差動増幅器の前記トランジスタの各トランジスタのコレクタ端子に結合され、
前記変圧器の前記第１のコイルと第２のコイルとの各々が、前記プリドライバと前記ドライバとへの電源の接続のためのセンタータップを含む、ドライバ回路。
【請求項１８】
請求項１７に記載のドライバ回路であって、
前記差動増幅器の前記トランジスタの前記コレクタ端子における信号による前記エミッタフォロワの活性化が、前記プリドライバにおいて正のフィードバック電流のフローを誘導する、ドライバ回路。
【請求項１９】
請求項１８に記載のドライバ回路であって、
前記プリドライバにおいて誘導される前記正のフィードバック電流が、前記エミッタフォロワにおける電流と前記変圧器の巻線比との関数である、ドライバ回路。
【請求項２０】
請求項１８に記載のドライバ回路であって、
抵抗器であって、前記抵抗器の各抵抗器の第１の端子が前記ドライバ回路出力端子の１つに接続される、前記抵抗器と、
金属酸化物半導体電界効果トランジスタ（ＦＥＴ）であって、前記金属酸化物半導体ＦＥＴの各金属酸化物半導体ＦＥＴのドレイン端子が前記抵抗器の１つの抵抗器の第２の端子に接続され、前記金属酸化物半導体ＦＥＴの各金属酸化物半導体ＦＥＴのゲート端子が前記駆動回路出力端子の１つに接続される、前記金属酸化物半導体ＦＥＴと、
を更に含む、前記ドライバ。
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
デジタル・アナログコンバータ（ＤＡＣ）装置であって、
データサンプリングレートＦｓ及びサンプリング周期１／Ｆｓを有するデジタル信号を受信する入力部と、
前記デジタル信号を受信する前記入力部に結合され、それぞれが周波数Ｆｓにおいて動作しアナログ出力を有する、Ｎ個（Ｎは偶数の整数であり、Ｎ≧２）のデジタル・アナログコンバータ（ＤＡＣ）と、
前記入力部及び前記Ｎ個のＤＡＣのうちの半分に結合されたインバータであって、それによって、前記Ｎ個のＤＡＣのうちの前記半分によって受信される入力デジタル信号が前記Ｎ個のＤＡＣのうちの他方の半分によって受信される前記入力デジタル信号に対して反転される、インバータと、
前記入力部に結合され、前記Ｎ個のＤＡＣのうちの１つ以上によって受信される前記入力デジタル信号と前記Ｎ個のＤＡＣのうちの他のものによって受信される前記入力デジタル信号との間に相対的な時間遅延を導入する、前記相対的な時間遅延が前記デジタル信号のサンプリング周期１／Ｆｓの部分である、遅延ユニットと、
前記Ｎ個のＤＡＣに結合され、前記Ｎ個のＤＡＣのうちの前記半分の前記アナログ出力を、前記Ｎ個のＤＡＣのうちの前記他方の半分の前記アナログ出力と減算されるように合成して、出力アナログ信号を提供する合成器と、
を備えるＤＡＣ装置。
【請求項２】
前記Ｎ個のＤＡＣのうちの前記半分によって受信される前記入力デジタル信号と前記Ｎ個のＤＡＣのうちの前記他方の半分によって受信される前記入力デジタル信号との間の相対的な時間遅延は、１／（２×Ｆｓ）である、
請求項１のＤＡＣ装置。
【請求項３】
前記Ｎ個のＤＡＣのうちの前記半分のそれぞれによって受信される前記入力デジタル信号間の前記相対的な時間遅延は、異なっており、前記Ｎ個のＤＡＣのうちの前記他方の半分における対応するＤＡＣによって受信される前記入力デジタル信号に対して１／（２×Ｆｓ）遅れている、
請求項１のＤＡＣ装置。
【請求項４】
前記Ｎ個のＤＡＣのうちの前記半分によって受信される前記入力デジタル信号と前記Ｎ個のＤＡＣのうちの前記他方の半分によって受信される前記入力デジタル信号との間の前記相対的な時間遅延は、１／（Ｎ×Ｆｓ）である、
請求項１のＤＡＣ装置。
【請求項５】
前記Ｎ個のＤＡＣのうちの前記半分のそれぞれによって受信される前記入力デジタル信号間の前記相対的な時間遅延は、異なっており、前記Ｎ個のＤＡＣのうちの前記他方の半分における対応するＤＡＣによって受信される前記入力デジタル信号に対して１／（Ｎ×Ｆｓ）遅れている、
請求項１のＤＡＣ装置。
【請求項６】
少なくとも１つのＤＡＣには、前記入力デジタル信号からの同じ時間遅延を有する他のＤＡＣが存在しない、
請求項１のＤＡＣ装置。
【請求項７】
前記入力部及び前記Ｎ個のＤＡＣに結合されたディザユニットを更に備え、
前記ディザユニットは、前記Ｎ個のＤＡＣのそれぞれによって受信される前記入力デジタル信号に加えるためのランダムなディザ信号を生成する、
請求項１〜６のいずれか１項のＤＡＣ装置。
【請求項８】
前記ディザ信号は、整形されたディザ信号である、
請求項７のＤＡＣ装置。
【請求項９】
前記ディザ信号は、２個以上の最下位ビット（ＬＳＢ）を有する、
請求項７又は８のＤＡＣ装置。
【請求項１０】
前記ディザ信号は、前記入力デジタル信号のサンプリングレートより高いレートで生成される、
請求項７〜９のいずれか１項のＤＡＣ装置。
【請求項１１】
前記ディザ信号は、より低いレートのディザシーケンスをアップサンプリングすることによって生成される、
請求項１０のＤＡＣ装置。
【請求項１２】
前記ディザ信号は、前記出力アナログ信号の復元レートで生成され、各ＤＡＣの組に連続して供給される、
請求項１０又は１１のＤＡＣ装置。
【請求項１３】
前記ディザ信号は、前記Ｎ個のＤＡＣの時間遅延毎に異なるフィルタでフィルタリングされる、
請求項７〜９のいずれか１項のＤＡＣ装置。
【請求項１４】
前記入力デジタル信号は、より高い周波数においてより少ないエネルギーを含むように、ノイズ整形されている、
請求項７〜９のいずれか１項のＤＡＣ装置。
【請求項１５】
前記合成器は、前記Ｎ個のＤＡＣのそれぞれのアナログ出力を、適用される重み付けをして合成する、
請求項１〜１４のいずれか１項のＤＡＣ装置。
【請求項１６】
前記適用される重み付けは、各アナログ出力について同じである、
請求項１５のＤＡＣ装置。
【請求項１７】
前記適用される重み付けは、前記Ｎ個のＤＡＣのうちの少なくとも２個について異なる、
請求項１５のＤＡＣ装置。
【請求項１８】
前記適用される重み付けは、各ＤＡＣによって受信される前記入力デジタル信号の相対的な時間遅延に依存する、
請求項１５のＤＡＣ装置。
【請求項１９】
前記デジタル信号は、デジタルオーディオ信号を含む、
請求項１〜１８のいずれか１項のＤＡＣ装置。
【請求項２０】
前記デジタルオーディオ信号は、パルス符号変調（ＰＣＭ）信号である、
請求項１９のＤＡＣ装置。
【請求項２１】
デジタル信号をアナログ信号に変換する方法であって、
データサンプリングレートＦｓ及びサンプリング周期１／Ｆｓを有するデジタル信号を受信するステップと、
前記デジタル信号を、それぞれが周波数Ｆｓにおいて動作しアナログ出力を有するＮ個（Ｎは偶数の整数であり、Ｎ≧２）のデジタル・アナログコンバータ（ＤＡＣ）に、前記Ｎ個のＤＡＣのうちの半分によって受信される入力デジタル信号が前記Ｎ個のＤＡＣのうちの他方の半分によって受信される前記入力デジタル信号に対して反転されるように、かつ、前記Ｎ個のＤＡＣのうちの１つ以上によって受信される前記入力デジタル信号と前記Ｎ個のＤＡＣのうちの他のものによって受信される前記入力デジタル信号との間に相対的な時間遅延が存在するように、供給する、前記相対的な時間遅延が前記デジタル信号のサンプリング周期１／Ｆｓの部分である、ステップと、
前記Ｎ個のＤＡＣのうちの前記半分の前記アナログ出力を、前記Ｎ個のＤＡＣのうちの前記他方の半分の前記アナログ出力と減算されるように合成して、出力アナログ信号を提供するステップと、
を備える、デジタル信号をアナログ信号に変換する方法。
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
ａ）１種以上のステビオール配糖体を産生するように操作された宿主細胞を含む発酵培地を提供する工程と、
ｂ）前記発酵培地を５０℃〜９５℃の範囲の温度に５分〜４８時間加熱することによって、前記操作された宿主細胞から前記１種以上のステビオール配糖体を放出させる工程とを含み、前記１種以上のステビオール配糖体は、前記宿主細胞の細胞内部分から前記発酵培地の細胞外部分に放出される、ステビオール配糖体を宿主細胞から放出させる方法。
【請求項２】
前記加熱が、７０℃〜９５℃で５分〜２時間から選択される、請求項１に記載の方法。
【請求項３】
前記加熱が、約５０℃で２４時間である、請求項１に記載の方法。
【請求項４】
前記加熱が、約７５℃で５分〜２時間である、請求項１に記載の方法。
【請求項５】
前記加熱が、約９５℃で５分〜１時間である、請求項１に記載の方法。
【請求項６】
前記加熱が、細胞外窒素含量を、前記組成物の総窒素構成成分の４５％を超えて増加させない、請求項１に記載の方法。
【請求項７】
前記加熱が、細胞外リン含量を、前記組成物の総リン構成成分の７０％を超えて増加させない、請求項１に記載の方法。
【請求項８】
前記組成物中に放出された前記ステビオール配糖体が、前記操作された宿主細胞から更に分離または精製される、請求項１に記載の方法。
【請求項９】
前記操作された宿主細胞が酵母である、請求項１に記載の方法。
【請求項１０】
前記操作された宿主細胞が、Ｃａｎｄｉｄａ、Ｐｉｃｈｉａ（Ｈａｎｓｅｎｕｌａ）、Ｋｌｏｅｃｋｅｒａ（Ｈａｎｓｅｎｉａｓｐｏｒａ）、Ｋｌｕｙｖｅｒｏｍｙｃｅｓ、Ｒｈｏｄｏｔｏｒｕｌａ、Ｔｏｒｕｌｏｐｓｉｓ、Ｚｙｇｏｓａｃｃｈａｒｏｍｙｃｅｓ、Ｓａｃｃｈａｒｏｍｙｃｅｔｅ、Ｙａｒｒｏｗｉａ及びＳａｃｃｈａｒｏｍｙｃｅｓの属からなる群から選択される操作された酵母である、請求項１に記載の方法。
【請求項１１】
前記ステビオール配糖体が、レバウジオシドＭ、レバウジオシドＤ、レバウジオシドＡ、レバウジオシドＢまたはこれらの組み合わせから選択される、請求項１に記載の方法。
【請求項１２】
放出された前記レバウジオシドＭ、レバウジオシドＤ、レバウジオシドＡ、レバウジオシドＢまたはこれらの組み合わせが、細胞によって産生され、細胞内及び細胞外の両方で認められる総配糖体と比較して、前記レバウジオシドＭ、レバウジオシドＤ、レバウジオシドＡ、レバウジオシドＢまたは組み合わせの９０％を超える、請求項１に記載の方法。
【請求項１３】
前記発酵培地または組成物中に存在する、細胞内及び細胞外のＲｅｂ  Ｄ及び／またはＲｅｂ  Ｍの総量のうち、細胞外に産生された前記Ｒｅｂ  Ｄ及び／またはＲｅｂ  Ｍが３３％を超える、請求項１１に記載の方法。
【請求項１４】
放出されたＲｅｂ  Ｄが、前記発酵培地または組成物に存在するＲｅｂ  Ｄの総量のうち約３０％〜約１００％の範囲で細胞外に存在し得る、請求項１１に記載の方法。
【請求項１５】
放出された前記Ｒｅｂ  Ｍが、前記発酵培地または組成物に存在するＲｅｂ  Ｍの総量のうち約３０％〜約１００％の範囲で細胞外に存在し得る、請求項１１に記載の方法。
【請求項１６】
組成物であって、１種以上のステビオール配糖体を産生するように操作された宿主細胞と、１種以上のステビオール配糖体とを含み、前記１種以上のステビオール配糖体は、前記組成物を５０℃〜９５℃の範囲の温度に５分〜４８時間加熱することによって、前記操作された宿主細胞から放出される、前記組成物。
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
入力電圧を受信する入力端子を有する、プリコンディショナ回路であって、
前記プリコンディショナ回路は、負荷モジュールへの印加のために前記入力電圧を修正し、
前記プリコンディショナ回路は、それぞれ第１及び第２の負荷モジュールに接続するための入力及び出力を各々有する第１及び第２のプリコンディショナモジュールを含み、
前記第１のプリコンディショナモジュールの前記出力は、前記第２のプリコンディショナモジュールの前記入力に直列に結合され、前記第２のプリコンディショナモジュールの前記出力は、前記第１のプリコンディショナモジュールの前記入力に直列に結合され、
それぞれ、前記第１及び第２のプリコンディショナモジュールは、第１及び第２のスナバ回路を含み、
前記第１及び第２のスナバ回路は、前記第１及び第２のスナバ回路の規則的な放電を可能にするために、エネルギ回復素子によって相互接続され、前記エネルギ回復素子は、前記第１のスナバ回路の第１のノードを前記第２のスナバ回路の第１のノードと接続し、これら第１のノードは、それぞれ、前記第１及び第２のスナバ回路のそれぞれのスナバコンデンサとスナバダイオードとの接合部に配置される、
プリコンディショナ回路。
【請求項２】
それぞれ、前記第１及び第２のプリコンディショナモジュールは、交互に活性化及び非活性化される第１及び第２のスイッチを含み、前記プリコンディショナ回路は、前記第１及び第２のスイッチのデューティサイクルを制御するコントローラをさらに含む、
請求項１に記載のプリコンディショナ回路。
【請求項３】
制御回路が、前記第２のスイッチに対して位相シフトされたパターンで、前記第１のスイッチを切り替える、
請求項２に記載のプリコンディショナ回路。
【請求項４】
前記位相シフトされたパターンの位相シフトは１８０度である、
請求項３に記載のプリコンディショナ回路。
【請求項５】
前記それぞれのスナバコンデンサとスナバダイオードとは、それぞれ、前記第１及び第２のスイッチに並列に配置される、
請求項１に記載のプリコンディショナ回路。
【請求項６】
前記エネルギ回復素子は、インダクタである、
請求項１に記載のプリコンディショナ回路。
【請求項７】
入力電圧を受信する入力端子を有するプリコンディショナ回路を含む、電源モジュールであって、
前記プリコンディショナ回路は、負荷モジュールへの印加のために前記入力電圧を修正し、
前記プリコンディショナ回路は、それぞれ第１及び第２の負荷モジュールに接続するための入力及び出力を各々有する第１及び第２のプリコンディショナモジュールを含み、
前記第１のプリコンディショナモジュールの前記出力は、前記第２のプリコンディショナモジュールの前記入力に直列に結合され、前記第２のプリコンディショナモジュールの前記出力は、前記第１のプリコンディショナモジュールの前記入力に直列に結合され、
それぞれ、前記第１及び第２のプリコンディショナモジュールは、第１及び第２のスナバ回路を含み、
前記第１及び第２のスナバ回路は、前記第１及び第２のスナバ回路の規則的な放電を可能にするために、エネルギ回復素子によって相互接続され、前記エネルギ回復素子は、前記第１のスナバ回路の第１のノードを前記第２のスナバ回路の第１のノードと接続し、これら第１のノードは、それぞれ、前記第１及び第２のスナバ回路のそれぞれのスナバコンデンサとスナバダイオードとの接合部に配置される、
電源モジュール。
【請求項８】
入力電圧を受信する入力端子を有するプリコンディショナ回路を含む、Ｘ線撮像システムであって、
前記プリコンディショナ回路は、負荷モジュールへの印加のために前記入力電圧を修正し、
前記プリコンディショナ回路は、それぞれ第１及び第２の負荷モジュールに接続するための入力及び出力を各々有する第１及び第２のプリコンディショナモジュールを含み、
前記第１のプリコンディショナモジュールの前記出力は、前記第２のプリコンディショナモジュールの前記入力に直列に結合され、前記第２のプリコンディショナモジュールの前記出力は、前記第１のプリコンディショナモジュールの前記入力に直列に結合され、
それぞれ、前記第１及び第２のプリコンディショナモジュールは、第１及び第２のスナバ回路を含み、
前記第１及び第２のスナバ回路は、前記第１及び第２のスナバ回路の規則的な放電を可能にするために、エネルギ回復素子によって相互接続され、前記エネルギ回復素子は、前記第１のスナバ回路の第１のノードを前記第２のスナバ回路の第１のノードと接続し、これら第１のノードは、それぞれ、前記第１及び第２のスナバ回路のそれぞれのスナバコンデンサとスナバダイオードとの接合部に配置され、
前記負荷モジュールがＸ線管を含む、Ｘ線撮像システム。
【請求項９】
入力電圧を受信する入力端子を有するプリコンディショナ回路を含む、照明システムであって、
前記プリコンディショナ回路は、負荷モジュールへの印加のために前記入力電圧を修正し、
前記プリコンディショナ回路は、それぞれ第１及び第２の負荷モジュールに接続するための入力及び出力を各々有する第１及び第２のプリコンディショナモジュールを含み、
前記第１のプリコンディショナモジュールの前記出力は、前記第２のプリコンディショナモジュールの前記入力に直列に結合され、前記第２のプリコンディショナモジュールの前記出力は、前記第１のプリコンディショナモジュールの前記入力に直列に結合され、
それぞれ、前記第１及び第２のプリコンディショナモジュールは、第１及び第２のスナバ回路を含み、
前記第１及び第２のスナバ回路は、前記第１及び第２のスナバ回路の規則的な放電を可能にするために、エネルギ回復素子によって相互接続され、前記エネルギ回復素子は、前記第１のスナバ回路の第１のノードを前記第２のスナバ回路の第１のノードと接続し、これら第１のノードは、それぞれ、前記第１及び第２のスナバ回路のそれぞれのスナバコンデンサとスナバダイオードとの接合部に配置される、照明システム。
【請求項１０】
前記負荷モジュールは、前記第１のプリコンディショナモジュールを使用して駆動される第１の照明バラスト、及び、前記第２のプリコンディショナモジュールを使用して駆動される第２の照明バラストを含む、
請求項９に記載の照明システム。
【手続補正書】
【提出日】平成31年1月4日(2019.1.4)
【手続補正１】
【補正対象書類名】特許請求の範囲
【補正対象項目名】全文
【補正方法】変更
【補正の内容】
【特許請求の範囲】
【請求項１】
太陽電池又は太陽電池モジュール（６）をテストするための太陽電池テスト装置（１１；３１；６１）であって、テストされるべき少なくとも１つの太陽電池又は太陽電池モジュール（６）のためのテスト領域（１２；６２）と、前記テスト領域（１２；６２）に対向して配置された発光領域（１６；６６）とを備え、前記発光領域（１６；６６）が、互いにピッチ（Ｐ）を有して配置されたＬＥＤモジュール（１７，１７Ａ；６７，６７Ａ）のアレイを含み、当該太陽電池テスト装置が、さらに、前記発光領域（１６；６６）から前記テスト領域（１２；６２）に向かう方向に延在する側壁ミラー（２１；７１）を備えている太陽電池テスト装置において、
前記発光領域（１６；６６）と前記テスト領域（１２；６２）との間の距離（Ｈ）と、前記ＬＥＤモジュール（１７，１７Ａ；６７，６７Ａ）のピッチ（Ｐ）との比が、１．５〜３．５の範囲にあり、好ましくは２．３〜２．７の範囲にあることを特徴とする、太陽電池テスト装置。
【請求項２】
前記側壁ミラー（２１；７１）が前記発光領域（１６；６６）に対して、具体的には９１度〜９５度の、好ましくは９２度〜９４度の角度（β）を成して傾斜され、これにより、前記側壁ミラー（２１；７１）の傾斜が反対方向にあることを特徴とする、請求項１に記載の太陽電池テスト装置。
【請求項３】
前記側壁ミラー（２１）が枢動又は回転軸（２２）を中心として枢動され、前記回転軸（２２）が、好ましくは、前記発光領域（１６）と前記テスト領域（１２）との間で、前記距離（Ｈ）の半分に相当する距離（ｈ）に配置されていることを特徴とする、請求項１または２に記載の太陽電池テスト装置。
【請求項４】
前記側壁ミラー（２１；７１）に隣接して配置されたＬＥＤモジュール（１７Ａ；３７Ａ）の中心と、前記ミラー（２１；７１）の前記回転軸（２２）との間の距離（Ｂ）が、ＬＥＤモジュール（１７，１７Ａ；６７，６７Ａ）間の前記ピッチ（Ｐ）の２４％〜４０％の範囲にあり、好ましくは２８％〜３６％の範囲にあることを特徴とする、請求項１〜３のいずれか一項に記載の太陽電池テスト装置。
【請求項５】
前記発光領域（１６）と前記テスト領域（１２）との間の前記距離（Ｈ）が、３００ｍｍ〜５００ｍｍの範囲にあり、好ましくは、３５０ｍｍ〜４５０ｍｍの範囲にあることを特徴とする、請求項１〜４のいずれか一項に記載の太陽電池テスト装置。
【請求項６】
前記ＬＥＤモジュール（１７，１７Ａ；６７，６７Ａ）間の前記ピッチ（Ｐ）が、１４８ｍｍ〜１６８ｍｍの範囲にあり、好ましくは、１５３ｍｍ〜１６３ｍｍの範囲にあることを特徴とする、請求項１〜５のいずれか一項に記載の太陽電池テスト装置。
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
バルク材料取扱い装置に設けられた電気的に駆動される偏心おもり産業用バイブレータであって、
内部チャンバを画するハウジングであって、前記産業用バイブレータを前記バルク材料取扱い装置に接続する取付け部分を有する、ハウジングと、
該ハウジングの前記内部チャンバ内に配置され、かつ前記ハウジングに固定された軸方向シャフトを介して前記ハウジングに取り付けられた、ステータと、
ロータであって、該ロータは、前記ステータを包囲しており、かつ前記ハウジングの前記内部チャンバ内でかつ前記シャフトを中心に前記ステータの周囲を回転することができるように少なくとも２つの軸受を介して前記ステータ、前記シャフトおよび前記ハウジングに対して回転可能に接続されており、前記２つの軸受のうちの少なくとも一方は、前記シャフト上にかつ該シャフトの周囲に取り付けられており、前記ステータは、前記２つの軸受の間に軸方向に配置されている、ロータと、
前記ロータと一緒に前記シャフトを中心に回転することができるように前記ロータに取り付けられた少なくとも１つの偏心おもりと、を備え、
前記少なくとも２つの軸受のうちの第２の軸受は、前記シャフト上にかつ該シャフトの周囲に取り付けられており、
前記シャフトは、導電体を前記ステータへ導くように適応させられかつ構成された軸方向ボアを有する、電気的に駆動される偏心おもり産業用バイブレータ。
【請求項２】
バルク材料取扱い装置に設けられた産業用バイブレータであって、
軸方向で反対側の離間させられた側壁を備えるハウジングであって、前記側壁は、前記ハウジングの中空の内部を少なくとも部分的に画しており、前記ハウジングは、前記産業用バイブレータを前記バルク材料取扱い装置に接続する取付け部分を有する、ハウジングと、
該ハウジングの内部において前記離間させられた側壁に固定されかつ前記離間させられた側壁の間に延びかつ中心軸線を規定するシャフトと、
該シャフトに取り付けられかつ該シャフトに回転方向で固定されているステータと、
該ステータを中心に配置されかつ前記ハウジングの前記中空の内部において前記シャフトを中心に回転するように構成されたロータアセンブリであって、前記中心軸線からずれた重心を有するおもりを有する、ロータアセンブリと、
前記シャフトおよび前記ロータに取り付けられた少なくとも２つの軸受アセンブリであって、該軸受アセンブリは、前記ロータが前記シャフトを中心に回転することを可能にするように適応させられかつ構成されており、前記少なくとも２つの軸受アセンブリのうちの一方は、前記ステータの一方の軸方向側において前記シャフトに取り付けられており、前記少なくとも２つの軸受アセンブリのうちの他方は、前記ステータの反対側の軸方向側において前記シャフトに取り付けられている、少なくとも２つの軸受アセンブリと、を備え、
前記シャフトは、導電体を前記ステータへ導くように適応させられかつ構成された軸方向ボアを有する、バルク材料取扱い装置に設けられた産業用バイブレータ。
【請求項３】
前記バルク材料取扱い装置は、バルク材料引渡しシュートを含む、請求項１記載の産業用バイブレータ。
【請求項４】
前記バルク材料取扱い装置は、ふるい分けスクリーンを含む、請求項１記載の産業用バイブレータ。
【請求項５】
前記バルク材料取扱い装置は、分類スクリーンを含む、請求項１記載の産業用バイブレータ。
【請求項６】
前記バルク材料取扱い装置は、バルク材料貯蔵ホッパを含む、請求項１記載の産業用バイブレータ。
【請求項７】
前記バルク材料取扱い装置は、バルク材料引渡しシュートを含む、請求項２記載の産業用バイブレータ。
【請求項８】
前記バルク材料取扱い装置は、ふるい分けスクリーンを含む、請求項２記載の産業用バイブレータ。
【請求項９】
前記バルク材料取扱い装置は、分類スクリーンを含む、請求項２記載の産業用バイブレータ。
【請求項１０】
前記バルク材料取扱い装置は、バルク材料貯蔵ホッパを含む、請求項２記載の産業用バイブレータ。
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
腎盂に薬剤を投与するための薬剤送達装置であって、
膀胱端部、腎臓端部、及び前記膀胱端部と前記腎臓端部との間に延在する薬剤管腔を有する可撓性の細長い本体と、
前記膀胱端部に配置され、薬剤を含有し、かつ半透過性の壁によって少なくとも部分的に画定された薬剤リザーバと、を備え、
前記薬剤管腔が、前記薬剤リザーバへの第１の端開口及び前記可撓性の細長い本体の前記腎臓端部にある第２の端開口を有し、
前記装置が、使用時に、前記薬剤リザーバから前記薬剤管腔を通して、かつ前記装置から前記第２の端開口を通して、前記薬剤を圧送するための浸透圧を生成するように、水が前記半透過性の壁を通して前記薬剤リザーバに進入することを可能にするように構成されている、薬剤送達装置。
【請求項２】
前記可撓性の細長い本体が、前記膀胱端部において、前記腎臓端部におけるより大きい外径を有する、請求項１に記載の装置。
【請求項３】
前記膀胱端部が、カール／コイル構成で付勢されている保形ワイヤをさらに備える、請求項１に記載の装置。
【請求項４】
前記可撓性の細長い本体の前記膀胱端部が、前記保形ワイヤが配置されるワイヤ管腔を備える、請求項３に記載の装置。
【請求項５】
前記膀胱端部が、カール／コイル構成で前記膀胱端部を付勢するように設定された形状設定ポリマーを含む、請求項１に記載の装置。
【請求項６】
前記薬剤が、固形状または半固形状であり、使用時に、前記半透過性の壁を通して前記薬剤リザーバに進入することを可能にされた前記水が、前記薬剤を可溶化し、前記浸透圧が、前記薬剤リザーバから前記薬剤管腔を通して、かつ前記装置から前記第２の端開口を通して、前記可溶化された薬剤を圧送する、請求項１に記載の装置。
【請求項７】
前記薬剤リザーバが、１つ以上の薬学的に許容可能な賦形剤をさらに含有する、請求項１に記載の装置。
【請求項８】
前記１つ以上の薬学的に許容可能な賦形剤が、浸透圧剤を含む、請求項７に記載の装置。
【請求項９】
前記半透過性の壁が、シリコーン、ポリウレタン、またはそれらの組み合わせを含む、請求項１に記載の装置。
【請求項１０】
前記薬剤が、尿路感染症、腎盂腎炎、腎細胞癌、線溶活性亢進、上部尿路上皮癌、または結石の治療または予防に有効な薬剤から選択される、請求項１に記載の装置。
【請求項１１】
前記可撓性の細長い本体が、前記膀胱端部と前記腎臓端部との間に略直線状の中央部分を有し、前記膀胱端部及び腎臓端部のうちの１つまたは両方がコイル状である、請求項１に記載の装置。
【請求項１２】
前記薬剤リザーバが、前記薬剤送達装置が患者へと挿入される前に、前記薬剤が充填されるように構成されている、請求項１に記載の装置。
【請求項１３】
前記薬剤送達装置が、尿管ステント内に、またはこれに隣接して展開されるように構成される、請求項１〜１２のいずれか一項に記載の装置。
【請求項１４】
前記可撓性の細長い本体が、尿管ステントであり、前記膀胱端部と前記腎臓端部との間に延在する排出管腔をさらに備える、請求項１〜１２のいずれか一項に記載の装置。
【請求項１５】
前記薬剤管腔が、前記可撓性の細長い本体内に画定され、前記排出管腔と平行に延在している、請求項１４に記載の装置。
【請求項１６】
前記薬剤リザーバが、環状形状を有し、前記排出管腔を囲んでいる、請求項１４に記載の装置。
【請求項１７】
前記薬剤リザーバが、非環状であり、前記排出管腔の片側に沿って位置付けられている、請求項１４に記載の装置。
【請求項１８】
前記可撓性の細長い本体が、前記排出管腔に対して開かれている複数の側排出口を有する側壁を有する、請求項１４に記載の装置。
【請求項１９】
部品のキットであって、
膀胱滞留端及び腎臓滞留端を有する尿管ステントを備える第１の部品と、
前記膀胱滞留端で、またはこの周りで前記尿管ステントに取り付けるように構成された薬剤リザーバを備える薬剤送達装置を備える第２の部品であって、前記薬剤リザーバが、薬剤を含有し、前記薬剤リザーバに接続された第１の端及び前記尿管ステントの前記腎臓滞留端に、またはこの周りに位置付け可能な対向する第２の端を有する毛細管と流体連通している、第２の部品と、を備える、キット。
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
微生物を外因的に不活性化する方法であって、対照核酸配列を含む感染性微生物を有効量のシトラコン酸無水物と外因的に接触させ、これにより、前記対照核酸配列の完全性を保持しつつ前記微生物を不活性化することを含み、前記シトラコン酸無水物の有効量が、約５ｍＭ〜約２５ｍＭの濃度である、方法。
【請求項２】
接触させる前に、前記微生物が、少なくとも１つの第一級アミン基を含むタンパク質性外表面を有する、請求項１に記載の方法。
【請求項３】
不活性化された前記微生物が、アミド結合と末端カルボキシレートに修飾された少なくとも１つの第一級アミン基を含むタンパク質性外表面を有する、請求項１及び２のいずれか１項に記載の方法。
【請求項４】
前記接触を周囲温度で実施する、および／または前記接触を約１時間実施する、請求項１〜３のいずれか１項に記載の方法。
【請求項５】
前記微生物がウイルスである、請求項１〜４のいずれか１項に記載の方法。
【請求項６】
前記微生物がＲＮＡウイルスまたはＤＮＡウイルスである、請求項５に記載の方法。
【請求項７】
前記微生物がアーマード核酸である、請求項１〜４のいずれか１項に記載の方法。
【請求項８】
前記微生物がアーマードＲＮＡまたはアーマードＤＮＡである、請求項７に記載の方法。
【請求項９】
前記微生物がバクテリオファージである、請求項１〜４のいずれか１項に記載の方法。
【請求項１０】
核酸増幅アッセイにおける試験サンプルの検出結果を確認する方法であって、前記方法が、
（ａ）試験サンプルを含むとともに、（ｉ）対照核酸配列と；（ｉｉ）アミド結合と末端カルボキシレートに修飾された少なくとも１つの第一級アミン基を有するタンパク質性外表面を含む、請求項１〜９のいずれか１項に記載の方法にしたがい不活性化された微生物を含む混合物においてサンプル調製を実施し、前記サンプル調製によって前記試験サンプルと前記不活性化された微生物の両方から核酸を放出させ；
（ｂ）放出された前記核酸に対して核酸増幅を実施し；
（ｃ）前記対照核酸標的を検出することにより検出結果を確認することを含む方法。
【請求項１１】
（ａ）タンパク質性外表面を有する微生物と；
（ｂ）反応緩衝液と；
（ｃ）有効量のシトラコン酸無水物
を含む微生物不活性化反応混合物であって、
前記シトラコン酸無水物の有効量が、約５ｍＭ〜約２５ｍＭの濃度である、微生物不活性化反応混合物。
【請求項１２】
前記微生物が、ウイルス、ＲＮＡウイルス、ＤＮＡウイルス、アーマード核酸、アーマードＲＮＡウイルス、アーマードＤＮＡウイルス、バクテリオファージからなる群から選択される、請求項１１に記載の微生物不活性化反応混合物。
【請求項１３】
（ｉ）対照核酸配列と；（ｉｉ）アミド結合と末端カルボキシレートに修飾された少なくとも１つの第一級アミン基を有するタンパク質性外表面を含む、請求項１〜９のいずれか１項に記載の方法により得ることが可能な不活性化された微生物。
【請求項１４】
核酸増幅からの検出結果を確認するための内部対照試薬としての、（ｉ）対照核酸配列と；（ｉｉ）アミド結合と末端カルボキシレートに修飾された少なくとも１つの第一級アミン基を有するタンパク質性外表面を含む、請求項１〜９のいずれか１項に記載の方法により得ることが可能な不活性化された微生物の使用。
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
以下：
（ａ）ｐＨセンサで細胞培養液におけるｐＨをモニターすること、
（ｂ）ｐＨが所定の値を超えると新鮮培地を送達し、透過物を除去すること、及び
（ｃ）ｐＨが所定の値を下回ると培地の送達及び透過物の除去を不活性化すること
を含む、連続灌流培養プロセス。
【請求項２】
新鮮培地が、好ましくは０．１g/L〜７．０g/Lの量で、Ｌ−ラクタートを含む、請求項１記載のプロセス。
【請求項３】
Ｌ−ラクタートが、Ｌ−乳酸ナトリウム又はＬ−乳酸カリウムである、請求項２記載のプロセス。
【請求項４】
新鮮培地が、以下：
（ａ）グルコース、
（ｂ）Ｌ−ラクタート、及び
（ｃ）アミノ酸
好ましくは、
（ａ）０．５〜４０g/L グルコース、
（ｂ）０．１〜７g/L Ｌ−ラクタート、及び
（ｃ）アミノ酸１モルに対して０．２５〜１．０モル グルコースの比のアミノ酸
を含む、請求項１記載のプロセス。
【請求項５】
アミノ酸及びグルコースが、７０mM アミノ酸及び培地１リットルあたりグルコース ５．３グラムに等しい量で、又は６０：４．２、９０：８、１００：１２、１２０：１３、２４０：４２及び３８０：７０mM アミノ酸：グラム/L 培地１リットルあたりグルコースからなる群より選択される比で供給される、請求項４記載のプロセス。
【請求項６】
所定のｐＨの値が、６．８〜７．４である、請求項１〜５のいずれか一項に記載のプロセス。
【請求項７】
以下：
（ａ）ｐＨセンサで細胞培養液におけるｐＨをモニターすること、
（ｂ）ｐＨが所定の値を超えると新鮮培地を送達し、透過物を除去すること、及び
（ｃ）ｐＨが所定の値を下回ると培地の送達及び透過物の除去を不活性化すること
を含む、連続灌流培養プロセスにおいて迅速な細胞成長を成し遂げるための方法。
【請求項８】
請求項１記載の連続灌流培養プロセスを第一培養プロセスとして含む、ハイブリッド培養プロセス。
【請求項９】
連続灌流培養プロセスの後に、流加プロセスが続くか又は第二連続灌流培養プロセス、好ましくは、以下：
（ａ）濃縮培地を添加すること、及び
（ｂ）希釈剤を添加すること
の工程を含む第二連続灌流培養プロセスが続く、請求項８記載のハイブリッド培養プロセス。
【請求項１０】
以下：
（ａ）ｐＨセンサで細胞培養液におけるｐＨをモニターすること、
（ｂ）ｐＨが所定の値を超えると新鮮培地を送達し、透過物を除去すること、及び
（ｃ）ｐＨが所定の値を下回ると培地の送達及び透過物の除去を不活性化すること
の工程を含む連続灌流培養プロセスを行うためのバイオリアクタ。
【請求項１１】
以下：
（ａ）ｐＨセンサで灌流バイオリアクタ中の細胞培養液におけるｐＨをモニターすること、
（ｂ）ｐＨが所定の値を超えると新鮮培地を灌流バイオリアクタに送達し、透過物を除去すること、及び
（ｃ）ｐＨが所定の値を下回ると培地の送達及び透過物の除去を不活性化すること
を含む、灌流培養プロセス。
【請求項１２】
新鮮培地が、好ましくは０．１g/L〜７．０g/Lの量で、Ｌ−ラクタートを含む、請求項１１記載の灌流培養プロセス。
【請求項１３】
Ｌ−ラクタートに代えて又はそれに加えて、
（ａ）ｐＨが所定の値を超えると、好ましくは利用される灌流培地１リットルあたり８．７mLの割合で１モル濃度 カーボナートが灌流バイオリアクタに入るように、炭酸ナトリウムが灌流バイオリアクタに添加されるか又は
（ｂ）生理的に許容できる塩基が灌流バイオリアクタに添加され、乳酸として灌流培地からラクタートの消費によって起こるのと同様の方法でｐＨに上昇影響を与える、
請求項１２記載の灌流培養プロセス。
【請求項１４】
以下：
（ａ）ｐＨセンサで灌流バイオリアクタ中の細胞培養液におけるｐＨをモニターすること、
（ｂ）ｐＨが所定の値を超えると新鮮培地を灌流バイオリアクタに送達し、透過物を除去すること、及び
（ｃ）ｐＨが所定の値を下回ると培地の送達及び透過物の除去を不活性化すること
を含む、灌流培養プロセスにおいて迅速な細胞成長を成し遂げるための方法。
【請求項１５】
以下：
（ａ）関心対象のタンパク質をコードする遺伝子を含む細胞を、関心対象のタンパク質を生成させる条件下で灌流細胞培養バイオリアクタにおいて以下：
ｉ．ｐＨセンサで細胞培養バイオリアクタにおけるｐＨをモニターすること、
ｉｉ．ｐＨが所定の値を超えると新鮮培地を送達し、透過物を除去すること、及び
ｉｉｉ．ｐＨが所定の値を下回ると培地の送達及び透過物の除去を不活性化すること
を含めて培養すること、
（ｂ）細胞培養バイオリアクタから関心対象のタンパク質を回収すること
を含む方法によって生成される関心対象のタンパク質。
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
第一のカット仕様に従い細片に切断された第一のたばこ材料を含むたばこカットフィラーであって、前記第一のカット仕様が、たばこ製品中で使用される時、前記たばこカットフィラーの最終カット幅および最終カット長さに対応する少なくとも所定の第一のカット幅および第一のカット長さを設定し、前記第一のたばこ材料の切断された前記細片のカット長さの分布が少なくとも二モードである、たばこカットフィラー。
【請求項２】
カット長さおよびカット幅のうち少なくとも一つについて前記第一のカット仕様とは異なる第二のカット仕様に従い切断された第二のたばこ材料をさらに含む、請求項１に記載のたばこカットフィラー。
【請求項３】
前記第一のたばこ材料が前処理したたばこ材料である、請求項１または２に記載のたばこカットフィラー。
【請求項４】
前記第一のたばこ材料が再構成たばこシートである、請求項１〜３のいずれか１項に記載のたばこカットフィラー。
【請求項５】
前記第二のたばこ材料が天然のたばこ葉材料である、請求項２〜４のいずれか１項に記載のたばこカットフィラー。
【請求項６】
前記第一のたばこ材料が細かく切られて約５ｍｍ〜約６０ｍｍのカット長さを有する細片にされる、請求項１〜５のいずれか１項に記載のたばこカットフィラー。
【請求項７】
前記第一のたばこ材料の前記切断された細片中の前記カット長さの分布が三モードである、請求項１〜６のいずれか１項に記載のたばこカットフィラー。
【請求項８】
前記第一のたばこ材料が細かく切られて約０．２ｍｍ〜約１ｍｍのカット幅を有する細片にされる、請求項１〜７のいずれか１項に記載のたばこカットフィラー。
【請求項９】
前記第一のたばこ材料が約０．０５ｍｍ〜約１ｍｍの厚さを有するシート材料から細かく切られて細片にされる、請求項１〜８のいずれか１項に記載のたばこカットフィラー。
【請求項１０】
前記第一のたばこ材料が細かく切られて正弦形状を有する細片にされ、前記正弦形状が約１ｍｍ〜約１５ｍｍの波長である、請求項１〜９のいずれか１項に記載のたばこカットフィラー。
【請求項１１】
前記第一のたばこ材料が細かく切られて細片にされ、それぞれがさらなる細片構造がそこから枝分かれする枝分かれ節目を含み、第一の細片構造との角度を形成する少なくとも前記第一の細片構造を備える、請求項１〜９のいずれか１項に記載のたばこカットフィラー。
【請求項１２】
前記第一のたばこ材料が細かく切られて細片にされ、それぞれが少なくとも第一、第二および第三の細片構造を備え、前記第一の細片構造がそこから前記第二の細片構造が枝分かれする節目を含み、前記第二の細片構造がそこから前記第三の細片構造が枝分かれする第二の節目を含む、請求項１〜９のいずれか１項に記載のたばこカットフィラー。
【請求項１３】
１２．５パーセントオーブン揮発性物質の基準水分値で少なくとも３．５立方センチメートル／グラムの充填力を有する、請求項１〜１２のいずれか１項に記載のたばこカットフィラー。
【請求項１４】
請求項１〜１３のいずれか１項に記載のたばこカットフィラーのロッドを備える、喫煙物品。
【請求項１５】
たばこカットフィラーを作製する方法であって、
第一のたばこ材料を提供する工程と、
少なくとも所定の第一のカット幅および第一のカット長さを設定する第一のカット仕様に従い前記第一のたばこ材料を細片に切断する工程であって、前記第一のたばこ材料の切断された前記細片のカット長さの分布が少なくとも二モードである工程とを含む、方法。
【請求項１６】
請求項１５に記載の方法であって、
第二のたばこ材料を提供する工程と、
前記第二のたばこ材料を前記第一のたばこ材料とは別個にかつ第二のカット仕様に従い切断する工程であって、前記第二のカット仕様がカット長さおよびカット幅のうち少なくとも一つについて前記第一のカット仕様とは異なる工程と、
前記切断した第一のたばこ材料および前記切断した第二のたばこ材料を混合する工程とを含む、方法。
【請求項１７】
前記第一のたばこ材料が前処理したたばこ材料である、請求項１５または１６に記載の方法。
【請求項１８】
前記第二のたばこ材料が再構成たばこシートである、請求項１５〜１７のいずれか１項に記載の方法。
【請求項１９】
前記第一のたばこ材料を切断する前に前記第一のたばこ材料を調整する工程をさらに含む、請求項１５〜１８のいずれか１項に記載の方法。
【請求項２０】
前記第一のたばこ材料の含水量を調節することによって前記カットフィラーの含水量を制御する工程を含む、請求項１８に記載の方法。
【請求項２１】
前記第二のたばこ材料の含水量を調節する工程をさらに含む、請求項１５〜２０のいずれか１項に記載の方法。
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
少なくとも１つのマルチコアプロセッサを具備する集中型サーバーであって、
前記集中型サーバーは、複数の集中化された脅威情報を含有する中央リポジトリを司り、前記中央リポジトリはＭｏｎｇｏＤＢデータベースを具備し、
前記集中型サーバーは、ＳＳＬ認証を有することを特徴とする、
集中型サーバーと、
複数の分散サーバーであって、
前記分散サーバーの各々は、複数の局部的な脅威情報を含有するローカルリポジトを司ることを特徴とする、
複数の分散サーバーと、
を具備し、
前記集中型サーバーは、ＳＳＬ暗号化を用いて、前記複数の集中化された脅威情報のうちの少なくとも一部を前記複数の局部的な脅威情報の少なくとも一部と交換することで、前記複数の集中化された脅威情報を前記複数の分散サーバーの各々に含まれる前記複数の局部的な脅威情報と同期させるよう構成されていることを特徴とする、
自動的に脅威情報を交換するためのコンピュータ化されたシステム。
【請求項２】
第１の分散サーバーにおいて、
マシンリーダブル言語にて脅威情報の第１の項目を作成するステップと、
前記脅威情報の第１の項目を前記マシンリーダブル言語からＳＴＩＸ言語に変換するステップと、
前記第１の分散サーバーのＴＡＸＩＩインターフェースにて、ＳＳＬ暗号化を用いて、前記変換された脅威情報の第１の項目を集中化されたサーバーへ安全に伝送するステップと、
前記第１の分散サーバーのＴＡＸＩＩインターフェースにて、暗号化された脅威情報の第２の項目を受け取るステップであって、前記第２の項目はＳＴＩＸ言語になっており、ＳＳＬ暗号化を用いて暗号化されていることを特徴とする、ステップと、
前記暗号化された脅威情報の第２の項目のＸＭＬスキーマを検証するステップと、
前記第２の項目を前記ＳＴＩＸ言語から前記マシンリーダブル言語に変換するステップと、
前記変換された第２の項目をローカルリポジトリに挿入するステップであって、前記ローカルリポジトリは、ＭｏｎｇｏＤＢデータベースであることを特徴とするステップと、
を具備する、安全に脅威情報を交換するためのコンピュータ化された方法。
【請求項３】
脅威情報を保存し分配する第１のリポジトリにて、観測された事象又は特性を共通言語で記述する第１の項目を作成するステップと、
脅威情報を保存し分配するために少なくとも１つの他のリポジトリに前記第１の項目を分配するステップと、
を具備する脅威情報を分配するためのコンピュータ化された方法。
【請求項４】
脅威情報を保存し分配するための中央リポジトリと、
脅威情報を保存し分配するための複数のローカルリポジトリと、
前記中央リポジトリと前記複数のローカルリポジトリとを接続するネットワークと、
を具備し、
前記ネットワークは、脅威情報の１以上の項目を前記複数のローカルリポジトリのうちの少なくとも１つから前記中央リポジトリへ伝送するよう構成され、そして、脅威情報の１以上の項目を前記中央リポジトリから前記複数のローカルリポジトリのうちの少なくとも１つへ伝送するよう構成されていることを特徴とする、
脅威情報を保存し分配するためのコンピュータ化されたシステム。